(57)【要約】【課題】チームを組んでいる看護師がどの程度行動を共にしているのかを容易に把握できるようにする。【解決手段】病院内における複数の看護師がいつ、どの場所にいたのかをそれぞれ表す行動履歴情報に基づいて、チーム内の一の看護師の所在場所と、同じチーム内の他の看護師の所在場所との距離を複数の時点ごとに求めることにより、チーム内の２人の看護師間の距離を分析する距離分析部１２と、２人の看護師間の複数の時点ごとの距離の大きさを時間軸に表したタイミングチャートを生成するチャート生成部１３と、当該タイミングチャートを表示させる表示制御部１４とを備え、ユーザが表示されたタイミングチャートを見ることにより、チーム内の２人の看護師間が複数の時点ごとにどの程度の大きさの距離の場所に所在していたのかを一見して把握することができるようにする。【選択図】図１
2020098379.tif 000002
【特許請求の範囲】
【請求項１】
病院内における複数の看護師がいつ、どの場所にいたのかをそれぞれ表す行動履歴情報を記憶した履歴情報記憶部から、上記行動履歴情報を取得する履歴情報取得部と、
上記履歴情報取得部により取得された上記行動履歴情報に基づいて、チーム内の一の看護師の所在場所と、同じチーム内の他の看護師の所在場所との距離を複数の時点ごとに求めることにより、チーム内の２人の看護師間の距離を分析する距離分析部と、
上記距離分析部により分析された２人の看護師間の複数の時点ごとの距離の大きさを時間軸に表したタイミングチャートを生成するチャート生成部と、
上記チャート生成部により生成されたタイミングチャートを表示する表示制御部とを備えたことを特徴とする行動状況可視化装置。
【請求項２】
上記表示制御部により表示された上記タイミングチャート上の任意の時点を指定する時点指定部と、
上記時点指定部により指定された時点における上記一の看護師の所在場所と上記他の看護師の所在場所とを上記行動履歴情報に基づいて特定する所在場所特定部とを更に備え、
上記表示制御部は、病院のレイアウト画像を上記タイミングチャートと共に表示させ、上記時点指定部により上記任意の時点が指定された場合、当該指定された時点について上記所在場所特定部により特定された２人の看護師の所在場所を上記病院のレイアウト画像上に表示させることを特徴とする請求項１に記載の行動状況可視化装置。
【請求項３】
上記表示制御部は、病院のレイアウト画像を上記タイミングチャートと共に表示させ、
上記表示制御部により表示された上記病院のレイアウト画像上の任意の場所を指定する場所指定部と、
上記場所指定部により指定された場所に上記一の看護師が所在していた時点と上記他の看護師が所在していた時点とを上記行動履歴情報に基づいて特定する所在時点特定部とを更に備え、
上記表示制御部は、上記場所指定部により上記任意の場所が指定された場合、当該指定された場所について上記所在時点特定部により特定された２人の看護師の所在時点を上記タイミングチャート上に表示させることを特徴とする請求項１に記載の行動状況可視化装置。
【請求項４】
上記チャート生成部は、上記距離分析部により分析された２人の看護師間の距離が閾値より小さい時点を第１の表示態様とし、上記距離が閾値以上の時点を第２の表示態様とするガントチャート形式の棒グラフによって、上記複数の時点ごとの距離の大きさを時間軸に表したタイミングチャートを生成することを特徴とする請求項１〜３の何れか１項に記載の行動状況可視化装置。
【請求項５】
上記チャート生成部は、上記一の看護師および上記他の看護師のそれぞれについて、上記行動履歴情報において看護師の所在位置が検出されていない時間帯を第３の表示態様とするガントチャート形式の棒グラフを生成することを特徴とする請求項４に記載の行動状況可視化装置。
【発明の詳細な説明】
【技術分野】
【０００１】
本発明は、行動状況可視化装置に関し、特に、病院内における看護師の位置を検出して、その位置情報をビジュアル的に可視化して表示する装置に用いて好適なものである。
【背景技術】
【０００２】
従来、施設内における看護師の移動の軌跡である動線を検出して表示できるようにした技術が知られている（例えば、特許文献１参照）。看護師の動線を導出することにより、看護業務において看護師が病院内でどのような動きをするのかを正確に把握することができる。そして、例えば看護師の無駄な動きを見出すことにより、業務効率の改善を図ることが可能となる。
【０００３】
特許文献１に記載の動線・滞留分析システムでは、施設内の複数のエリアおよびエリア間を移動する際に通過する通過ポイント毎に屋内測位センサを設けるとともに、屋内測位センサが発信した電波を受信し、受信した電波の強度および識別情報を送信する携帯情報端末を各看護師が携帯し、携帯情報端末から送信された情報を用いて、看護師の滞留エリアおよび動線を判定して出力する。
【０００４】
特許文献１には、通過回数が多いほど動線を太く表示する等して、動線の通過頻度を出力することが開示されている（図６参照）。これにより、例えば移動が多い滞留エリアを近づけることによって動線を短縮する等の業務改善を行うことができるとされる。また、特許文献１には、複数の看護師の滞留を時系列で表示することも開示されている（図７参照）。これにより、ある滞留エリアから次の滞留エリアへの移動時間を確認し、業務の問題点や課題を把握することができるとされる。
【０００５】
ところで、看護師が業務を行う際に、特定の２人または３人以上がチームを組んで看護業務を行うことがある。例えば、熟練看護師が新人看護師に対して看護業務をＯＪＴとして指導する場合や、特定の患者に対して複数の看護師が共同で看護する場合などである。このような場合、基本的には、チームを組んだ複数の看護師どうしは多くの時間を共に行動することが望まれる。
【０００６】
しかしながら、看護師が行う業務には、ナースコールへの対応業務、担当患者に対する看護業務、医師に対するサポート業務、看護記録業務など様々なものがある。ナースコールへの対応業務については、担当患者からのナースコールに対応する場合はもちろん、担当外の患者からのナースコールに対してヘルプ対応する場合もある。
【０００７】
このように、看護師は、予定されている業務を予定された通りに行えば済むということは殆どなく、不定のタイミングで発生する不定の業務に対応しなければならなくなることが非常に多い。そのため、チームを組んだ複数の看護師どうしが常に伴って行動できるとは限らず、それぞれが別々の場所で別々の業務を行うこともある。よって、チームを組んだ看護師どうしがどの程度行動を共にしているかの実績を確認し、その確認結果に応じて必要な改善を図ることも望まれる。
【０００８】
チームを組んだ複数の看護師どうしがどの程度行動を共にできているかを確認するために、上記特許文献１に記載の技術を用いることにより、看護師の動線を可視化して表示することが考えられる。しかしながら、上記特許文献１に記載の技術では、図６のように個々の看護師の動線を表示して個別に確認したり、図７のように個々の看護師がどの時間帯にどの場所にいたのかを個別に確認したりすることはできるが、複数の看護師がどの程度行動を共にしているかは一見して分からず、これを把握するのは困難であるという問題があった。
【先行技術文献】
【特許文献】
【０００９】
【特許文献１】特開２０１４−２１５６８４号公報
【発明の概要】
【発明が解決しようとする課題】
【００１０】
本発明は、このような問題を解決するために成されたものであり、チームを組んでいる看護師がどの程度行動を共にしているのかを容易に把握できるようにすることを目的とする。
【課題を解決するための手段】
【００１１】
上記した課題を解決するために、本発明では、病院内における複数の看護師がいつ、どの場所にいたのかをそれぞれ表す行動履歴情報に基づいて、チーム内の一の看護師の所在場所と、同じチーム内の他の看護師の所在場所との距離を複数の時点ごとに求めることにより、チーム内の２人の看護師間の距離を分析する。そして、２人の看護師間の複数の時点ごとの距離の大きさを時間軸に表したタイミングチャートを生成して表示するようにしている。
【発明の効果】
【００１２】
上記のように構成した本発明によれば、表示されたタイミングチャートを見ることにより、チーム内の２人の看護師間が複数の時点ごとにどの程度の大きさの距離の場所に所在していたのかを一見して把握することが可能となる。タイミングチャート上で２人の看護師間の距離が近いことが示されている時間帯は、その看護師どうしが行動を共にしていたことを示唆していると言える。従って、本発明によれば、チームを組んでいる看護師がどの程度行動を共にしているのかを容易に把握することができる。
【図面の簡単な説明】
【００１３】
【図１】第１の実施形態による行動状況可視化装置の機能構成例を示すブロック図である。
【図２】第１〜第３の実施形態による行動状況可視化装置を適用した位置検出システムのハードウェア構成例を示す図である。
【図３】病院内のレイアウトにおいて複数のアクセスポイントの配置例を示す図である。
【図４】行動履歴データベースに記録される情報の一例を示す図である。
【図５】第１の実施形態による表示制御部により表示されるタイミングチャートの一例を示す図である。
【図６】第２の実施形態による行動状況可視化装置の機能構成例を示すブロック図である。
【図７】第２の実施形態による表示制御部により表示される画面の一例を示す図である。
【図８】第３の実施形態による行動状況可視化装置の機能構成例を示すブロック図である。
【図９】第３の実施形態による表示制御部により表示される画面の一例を示す図である。
【発明を実施するための形態】
【００１４】
（第１の実施形態）
以下、本発明による第１の実施形態を図面に基づいて説明する。図１は、第１の実施形態による行動状況可視化装置の機能構成例を示すブロック図である。図２は、第１の実施形態による行動状況可視化装置を適用した位置検出システムのハードウェア構成例を示す図である（後述する第２の実施形態および第３の実施形態による行動状況可視化装置を適用した位置検出システムのハードウェア構成もこれと同様である）。
【００１５】
図２に示す位置検出システムは、病院内の複数の場所に設置された受信装置（例えば、タグリーダ装置または無線受信機など）により、看護師が携帯する送信装置（例えば、無線ＩＣタグまたは無線送信機など）から送信される信号を受信し、信号を受信した受信装置の位置を逐次記録することにより、看護師が移動した位置を行動履歴情報として蓄積することができるようにしたものである。  
【００１６】
図２に示すように、本実施形態の位置検出システムは、看護師が携帯する可搬型の無線送信機１０と、病院内の複数の場所（例えば、病室、ナースステーション、診察室、廊下等）に設置された無線ＬＡＮのアクセスポイント（ＡＰ）２０と、無線送信機１０（これを所持する看護師）の存在位置を逐次記録して管理する管理装置３０とを備えて構成されている。
【００１７】
無線送信機１０は、看護師の識別情報である看護師ＩＤを含んだ信号を一定間隔で定期的に送信する。無線送信機１０は、例えばＷｉ−Ｆｉ（登録商標）による無線送信機能を有しており、内部メモリにあらかじめ記憶されている看護師ＩＤを一定間隔で送信する。無線送信機１０により送信された信号は、看護師が存在している位置の周囲にあるＡＰ２０（無線通信圏内にあるＡＰ２０）にて受信される。なお、図２では簡略的に無線送信機１０を１つのみ図示しているが、実際には看護師の数だけ存在する。
【００１８】
ＡＰ２０は、無線送信機１０から送信された信号を受信する無線受信機の一例である。ＡＰ２０は、無線送信機１０から受信した信号に含まれている看護師ＩＤに加え、自身の識別情報として用いるＡＰアドレスを管理装置３０に送信する。なお、図２では簡略的にＡＰ２０を１つのみ図示しているが、実際には病院内の複数箇所に設置されている。このうち、無線ＬＡＮの通信圏内にあるＡＰ２０が無線送信機１０から信号を受信し、その信号に含まれる看護師ＩＤおよび自身のＡＰアドレスを含む情報を管理装置３０に送信する。
【００１９】
ＡＰ２０は、無線送信機１０から信号を受信する際の受信電波に基づいて、無線送信機１０のＡＰ２０からの相対位置を特定し、その相対位置情報も管理装置３０に送信する。ＡＰ２０は、ＡｏＡ（Angle of Arrival）方式により電波が到来する方向を検出する公知技術を用いて無線送信機１０の相対方向を特定するとともに、受信電波強度に基づいて電波発信源までの距離を検出する公知技術を用いて無線送信機１０までの相対距離を特定することにより、無線送信機１０のＡＰ２０からの相対位置を特定することが可能である。
【００２０】
図３は、病院内のレイアウトにおいて複数のＡＰ２０の配置例を示した図である。図３に示す病院レイアウトでは、複数の病室３０１〜３１０、ナースステーション３１１、診察室３１２および廊下３１３が存在する。ＡＰ２０は、複数の病室３０１〜３１０、ナースステーション３１１、診察室３１２および廊下３１３のそれぞれに設置されている。すなわち、病室３０１〜３１０、ナースステーション３１１、診察室３１２の各部屋内に１つずつＡＰ２０が設置されるとともに、廊下３１３の複数箇所にＡＰ２０が設置されている。
【００２１】
なお、ＡＰ２０と管理装置３０との間は、例えば有線のＬＡＮケーブル等で接続されている。または、複数のＡＰ２０どうしを無線で接続するとともに、図示しない中継装置を更に備えて当該中継装置と管理装置３０との間を有線のＬＡＮケーブル等で接続するようにしてもよい。この場合、複数のＡＰ２０からリレー形式で情報を中継装置に伝達し、複数のＡＰ２０から伝達された情報を一括して中継装置から管理装置３０に送信する。
【００２２】
管理装置３０は、ＡＰ２０から送信される情報に含まれている看護師ＩＤ、ＡＰアドレスおよび相対位置情報に基づいて、どの看護師（無線送信機１０）がどの場所にいるかを検出する。すなわち、管理装置３０は、看護師ＩＤと看護師名との対応関係、およびＡＰアドレスとＡＰ２０の設置場所を示す位置情報との対応関係を示したデータベースをあらかじめ記憶している。管理装置３０は、このデータベースを参照することにより、ＡＰ２０から受信した情報の中に含まれている看護師ＩＤに基づいて、それに対応する看護師名を特定する。
【００２３】
また、管理装置３０は、上記データベースを参照することにより、ＡＰ２０から受信した情報の中に含まれているＡＰアドレスに基づいて、ＡＰ２０が存在する場所を特定するとともに、同じくＡＰ２０から受信した情報の中に含まれている相対位置情報に基づいて、当該特定したＡＰ２０からの無線送信機１０の相対位置を特定し、その特定した相対位置の場所に、看護師ＩＤで示される看護師が存在することを検出する。
【００２４】
管理装置３０は、ＡＰ２０から受信した看護師ＩＤおよびそれに対応する看護師名と、ＡＰアドレスおよび相対位置情報から特定した位置情報（看護師の所在場所）とを受信時刻と共に行動履歴データベースに逐次記録することにより、看護師が移動した位置を行動履歴情報として蓄積する。図４は、行動履歴データベースに記録される情報の一例を示したものである。
【００２５】
なお、無線送信機１０の無線通信圏内に複数のＡＰ２０が存在する場合は、当該複数のＡＰ２０が１つの無線送信機１０から信号を受信する。この場合、管理装置３０が複数のＡＰ２０から受信する情報の中には、同じ看護師ＩＤを含むものが複数存在することになる。この場合、管理装置３０は、それらの看護師ＩＤと共に送信されたＡＰアドレスで示される複数のＡＰ２０の中から何れか１つを特定し、特定したＡＰ２０からの無線送信機１０の相対位置で特定される位置情報を行動履歴データベースに記憶する。
【００２６】
具体的には、管理装置３０は、それぞれのＡＰ２０から看護師ＩＤおよびＡＰアドレスと共に送られてくる受信電界強度（各ＡＰ２０で検出される）に基づいて、何れか１つのＡＰ２０を特定する。例えば、受信電界強度が最も大きいＡＰ２０を特定する。そして、管理装置３０は、その特定したＡＰ２０に関してＡＰアドレスと共に送られてくる相対位置情報を用いて看護師の所在場所を特定し、当該特定した所在場所の位置情報を行動履歴データベースに記憶する。
【００２７】
管理装置３０は、以上のように行動履歴データベースとして蓄積した行動履歴情報に基づいて、看護師の行動状況を分析し、その結果を可視化して表示する機能を備えている。この機能を提供するのが本実施形態の行動状況可視化装置１００であり、その機能構成を図１に示している。なお、ここでは看護師の行動履歴情報を蓄積する機能と、その行動履歴情報から分析した行動状況を可視化して表示する機能との両方を同じ管理装置３０が備える構成としたが、別の端末に備える構成としてもよい。
【００２８】
図１に示すように、第１の実施形態による行動状況可視化装置１００は、その機能構成として、履歴情報取得部１１、距離分析部１２、チャート生成部１３および表示制御部１４を備えている。また、本実施形態の行動状況可視化装置１００には、行動履歴データベースを記憶する履歴情報記憶部１０１と、チャート生成部１３により生成されたタイミングチャートを表示するための表示装置１０２とが接続されている。なお、表示装置１０２は、管理装置３０に対して通信ネットワークを介して接続された端末（図示せず）が備えるものであってもよい。
【００２９】
上記各機能ブロック１１〜１４は、ハードウェア、ＤＳＰ（Digital Signal Processor）、ソフトウェアの何れによっても構成することが可能である。例えばソフトウェアによって構成する場合、上記各機能ブロック１１〜１４は、実際にはコンピュータのＣＰＵ、ＲＡＭ、ＲＯＭなどを備えて構成され、ＲＡＭやＲＯＭに記憶されたプログラムが動作することによって実現される。なお、当該プログラムは、ハードディスクや半導体メモリ等の他の記録媒体に記憶されていてもよい。
【００３０】
履歴情報記憶部１０１は、病院内における看護師の行動履歴情報（上述した行動履歴データベース）を記憶する。この履歴情報記憶部１０１は、病院内における複数の看護師がいつ、どの場所にいたのかをそれぞれ表す行動履歴情報を記憶したものである。履歴情報取得部１１は、履歴情報記憶部１０１から行動履歴情報を取得する。例えば、ユーザが管理装置３０の操作部を操作することにより、看護師の行動状況を可視化して表示することを指示したときに、履歴情報取得部１１が履歴情報記憶部１０１から行動履歴情報を取得する。なお、管理装置３０に対して通信ネットワークを介して接続された端末が表示装置１０２を備える構成の場合は、当該端末の操作部をユーザが操作することによって看護師の行動状況を可視化して表示することを管理装置３０に対して指示したときに、履歴情報取得部１１が履歴情報記憶部１０１から行動履歴情報を取得する。
【００３１】
ここで、履歴情報取得部１１は、病院に所属する看護師全員に関する行動履歴情報のうち、ユーザによる操作部の操作を通じて指定された２人の看護師に関する行動履歴情報を履歴情報記憶部１０１から選択的に取得する。具体的には、履歴情報取得部１１は、ユーザによる指定に基づいて、チーム（ペア）を組んでいる２人の看護師の行動履歴情報を取得する。または、３人以上の看護師によってチームが組まれている場合に、履歴情報取得部１１は、ユーザによる指定に基づいて、チーム内の任意の２人の看護師の行動履歴情報を取得する。
【００３２】
また、履歴情報取得部１１は、ユーザによる操作部の操作によって指定された所望の期間（例えば、特定の日にち、特定の日にちの特定の数時間、あるいは特定の数日間など）の行動履歴情報を履歴情報記憶部１０１から取得する。なお、履歴情報取得部１１は、ユーザからの指定とは関係なく、現在から直近の所定期間における行動履歴情報を履歴情報記憶部１０１から取得するようにしてもよい。
【００３３】
距離分析部１２は、履歴情報取得部１１により取得された行動履歴情報に基づいて、チーム内の一の看護師の所在場所と、同じチーム内の他の看護師の所在場所との距離を複数の時点ごとに求めることにより、チーム内の２人の看護師間の距離を分析する。ここで、各看護師の各時点における所在場所は、図４に示す行動履歴データベースに含まれる各時刻の位置情報により示されている。一の看護師の所在場所と他の看護師の所在場所との距離は、同じ時刻における２人の看護師の位置情報から求めることが可能である。例えば、距離分析部１２は、２つの位置情報で示される所在場所を直線で結んだ場合の直線距離を算出する。
【００３４】
なお、ここでは説明を簡単にするために、複数の看護師が携帯している全ての無線送信機１０から信号が同じ時刻に送信されることを前提としている。しかし、実際には多少の送信時刻のズレが生じる可能性がある。そこで、所定のマージン以内の誤差の時刻は同時刻とみなすようにしてもよい。
【００３５】
チャート生成部１３は、距離分析部１２により分析された２人の看護師間の複数の時点ごとの距離の大きさを時間軸に表したタイミングチャートを生成する。ここで、チャート生成部１３は、距離分析部１２により分析された２人の看護師間の距離が閾値より小さい時点を第１の表示態様とし、距離が閾値以上の時点を第２の表示態様とするガントチャート形式の棒グラフによって、複数の時点ごとの距離の大きさを時間軸に表したタイミングチャートを生成する。
【００３６】
表示制御部１４は、チャート生成部１３により生成されたタイミングチャートを表示装置１０２に表示させる。図５は、表示装置１０２に表示されるタイミングチャートの一例を示す図である。ここでは、ペアを組んでいる看護師Ａおよび看護師Ｂ（３人以上のチームの中の２人でもよい）について、特定の日にちの業務開始時間から業務終了時間までの数時間について分析した複数の時点毎の距離に基づいて生成したタイミングチャートの例を示している。
【００３７】
図５に示すように、チャート生成部１３は、看護師Ａに関するタイミングチャートと、看護師Ｂに関するタイミングチャートとを生成している。タイミングチャートにおいて、横軸は時間を示しており、左端が業務開始時間、右端が業務終了時間を示している。看護師Ａ，Ｂのタイミングチャートはそれぞれ、看護師間の距離が閾値より小さい時点を第１の表示態様により示す時間帯５１（以下、近距離時間帯という）と、看護師間の距離が閾値以上の時点を第２の表示態様により示す時間帯５２（以下、非近距離時間帯という）とを含んでいる。
【００３８】
図５に示すタイミングチャートは、看護師Ａ，Ｂのそれぞれについて、行動履歴情報において看護師の所在位置が検出されていない時点を第３の表示態様により示す時間帯５３（以下、非検出時間帯という）を更に含んでいる。なお、行動履歴情報において看護師の所在位置が検出されていない非検出時間帯５３は、看護師の所在位置が何れのＡＰ２０の通信圏内にも入っていない場合（例えば、屋外にいる場合など）や、休憩時間中で無線送信機１０の電源が入っていない場合などが該当する。
【００３９】
第１の表示態様で示される近距離時間帯５１は、看護師Ａ，Ｂのタイミングチャートのそれぞれにおいて同じ時間帯に存在する。第２の表示態様で示される非近距離時間帯５２も基本的には看護師Ａ，Ｂのタイミングチャートのそれぞれにおいて同じ時間帯に存在するが、看護師Ａ，Ｂのどちらか一方において所在位置が検出されていない時間帯は、一方（所在位置が検出されている方）を第２の表示態様（非近距離時間帯５２）とし、他方を第３の表示態様（非検出時間帯５３）とする。なお、看護師Ａ，Ｂのどちらか一方において所在位置が検出されていない時間帯は、実際には看護師間の距離を算出することができないので、看護師Ａ，Ｂの両方とも第３の表示態様としてタイミングチャートを生成するようにしてもよい。
【００４０】
ユーザは、図５のように表示されたタイミングチャートを確認することにより、チームを組んでいる２人の看護師Ａ，Ｂが複数の時点ごとにどの程度の大きさの距離の場所に所在していたのかを一見して把握することが可能となる。すなわち、２人の看護師Ａ，Ｂが閾値より小さい距離の場所にいた時間がどの程度あるのかを一見して把握することが可能となる。
【００４１】
ここで、タイミングチャート上で２人の看護師Ａ，Ｂ間の距離が近いことが示されている近距離時間帯５１は、その看護師Ａ，Ｂどうしが行動を共にしていたことを示唆していると言える。例えば、病室や廊下などの空間毎に設置されるＡＰ２０の設置位置間距離よりも小さい値を距離の閾値として設定した場合、近距離時間帯５１は、看護師Ａ，Ｂどうしが同じ空間内で行動を共にしていたことを示唆していると言える。従って、図５のタイミングチャートによれば、チームを組んでいる看護師Ａ，Ｂがどの程度行動を共にしているのかを容易に把握することができる。
【００４２】
（第２の実施形態）
次に、本発明の第２の実施形態を図面に基づいて説明する。図６は、第２の実施形態による行動状況可視化装置１００’の機能構成例を示すブロック図である。この図６において、図１に示した符号と同一の符号を付したものは同一の機能を有するものであるので、ここでは重複する説明を省略する。図６に示す行動状況可視化装置１００’は、その機能構成として、時点指定部１５および所在場所特定部１６を更に備えるとともに、表示制御部１４に代えて表示制御部１４’を備えている。
【００４３】
第２の実施形態による行動状況可視化装置１００’は、病院のレイアウト画像をタイミングチャートと共に表示させ、表示されたタイミングチャート上の任意の時点がユーザにより指定された場合に、当該指定された時点について２人の看護師の所在場所を病院のレイアウト画像上に表示させるようにするものである。図７は、表示制御部１４’により表示装置１０２に表示される画面の一例を示す図である。以下、図６および図７を用いて説明する。
【００４４】
図７に示すように、表示制御部１４’は、病院のレイアウト画像７２をタイミングチャート７１と共に表示装置１０２に表示させる。タイミングチャート７１は、図５に示したものと同様である。病院のレイアウト画像７２は、行動状況可視化装置１００’を実装した管理装置３０が有する記憶媒体にあらかじめ記憶されており、表示制御部１４’は当該記憶媒体からレイアウト画像７２を読み出して表示装置１０２に表示させる。
【００４５】
時点指定部１５は、表示制御部１４’により表示されたタイミングチャート７１上の任意の時点を指定する。図７の例では、タイミングチャート７１上にインジケータ７３が表示されている。このインジケータ７３は、例えばユーザがクリック操作またはドラッグ操作を行うことにより、タイミングチャート７１上の任意の位置に移動させることができるようになっている。このインジケータ７３の存在するタイミングチャート７１上の位置が、時点指定部１５により指定される任意の時点に対応する。すなわち、ユーザがインジケータ７３をタイミングチャート７１上の任意の位置に移動させると、時点指定部１５は、そのインジケータ７３の位置を検出し、検出した位置に対応する時点を指定する。
【００４６】
所在場所特定部１６は、タイミングチャート７１を生成するための距離の分析対象とされた２人の看護師について、時点指定部１５により指定された時点における一の看護師の所在場所および他の看護師の所在場所を、履歴情報取得部１１により取得された行動履歴情報に基づいて特定する。上述したように、履歴情報取得部１１が履歴情報記憶部１０１から取得する行動履歴情報は、病院内における複数の看護師がいつ、どの場所にいたのかをそれぞれ表した情報である。従って、時点指定部１５により任意の時点が指定されれば、その時点に対応する看護師の所在場所を行動履歴情報から特定することが可能である。
【００４７】
表示制御部１４’は、時点指定部１５により任意の時点が指定された場合、当該指定された時点について所在場所特定部１６により特定された２人の看護師の所在場所を病院のレイアウト画像７２上に表示させる。図７の例では、人の形をした所在場所マーク７４により２人の看護師Ａ，Ｂの所在場所が表示されている。ここでは、２人の看護師Ａ，Ｂの距離が閾値より小さい近距離時間帯５１の中の一時点が時点指定部１５により指定されているため、２人の看護師Ａ，Ｂの所在場所マーク７４が互いに近い位置に表示されている。なお、所在場所マーク７４の形状は任意であり、人の形はその一例に過ぎない。
【００４８】
このように、第２の実施形態によれば、チームを組んでいる看護師Ａ，Ｂがどの程度行動を共にしているのかをタイミングチャート７１によって容易に把握することができることに加え、個々の時点において看護師Ａ，Ｂが実際にどこにいたのかをレイアウト画像７２上の所在場所マーク７４によって容易に把握することもできる。これにより、ユーザは、看護師Ａ，Ｂの距離が閾値より小さい近距離時間帯５１と、看護師Ａ，Ｂの距離が閾値以上の非近距離時間帯５２とのそれぞれにおいて、所在場所マーク７４が表示されている場所の特性から看護師Ａ，Ｂがどんな業務を行っていたのかを推定することも可能である。
【００４９】
なお、ここでは、ユーザがクリック操作またはドラッグ操作によりインジケータ７３を移動させることにより、任意の１つの時点を指定する例について説明したが、本発明はこれに限定されない。例えば、任意の位置にインジケータ７３を移動させて開始位置を指定した後、自動再生ボタン等をクリックすることにより、指定位置を始点としてインジケータ７３を右方向（時間が経過する方向）に自動的に移動させ、自動的に移動したタイミングチャート７１上の各位置に対応する各時点における看護師Ａ，Ｂの所在場所マーク７４を動的に動かしながら表示させるようにしてもよい。
【００５０】
（第３の実施形態）
次に、本発明の第３の実施形態を図面に基づいて説明する。図８は、第３の実施形態による行動状況可視化装置１００”の機能構成例を示すブロック図である。この図８において、図１に示した符号と同一の符号を付したものは同一の機能を有するものであるので、ここでは重複する説明を省略する。図８に示す行動状況可視化装置１００”は、その機能構成として、場所指定部１７および所在時点特定部１８を更に備えるとともに、表示制御部１４に代えて表示制御部１４”を備えている。
【００５１】
第３の実施形態による行動状況可視化装置１００”は、病院のレイアウト画像をタイミングチャートと共に表示させ、表示されたレイアウト画像上の任意の場所がユーザにより指定された場合に、当該指定された場所に２人の看護師が所在していた時点をタイミングチャート上に表示させるようにするものである。図９は、表示制御部１４”により表示装置１０２に表示される画面の一例を示す図である。以下、図８および図９を用いて説明する。
【００５２】
図９に示すように、表示制御部１４”は、病院のレイアウト画像７２をタイミングチャート７１と共に表示装置１０２に表示させる。この点は、第２の実施形態による表示制御部１４’と同様である。
【００５３】
場所指定部１７は、表示制御部１４”により表示された病院のレイアウト画像７２上の任意の場所を指定する。図７の例では、矢印形状をしたポインタ９３がレイアウト画像７２上に表示されている。このポインタ９３は、例えばユーザがクリック操作またはドラッグ操作を行うことにより、レイアウト画像７２上の任意の位置に移動させることができるようになっている。このポインタ９３の存在する位置に対応するレイアウト画像７２上の場所が、場所指定部１７により指定される任意の場所に対応する。
【００５４】
すなわち、ユーザがポインタ９３をレイアウト画像７２上の任意の位置に移動させると、場所指定部１７は、そのポインタ９３の位置を検出し、検出した位置に対応するレイアウト画像７２上の場所を指定する。ポインタ９３の位置に対応するレイアウト画像７２上の場所とは、ポインタ９３の先端位置が存在する一点のことではなく、レイアウト画像７２上でポインタ９３の位置が属している病室や廊下等の空間のことである。
【００５５】
管理装置３０は、ＡＰ２０が設置されている病室や廊下等の空間毎にその位置と形状（大きさを含む）を含むレイアウト情報を記憶したデータベースを有している。場所指定部１７は、このデータベースを参照することにより、ポインタ９３の位置がどの空間（場所）に属しているかを検出可能に構成されている。これにより、場所指定部１７は、ポインタ９３が存在する位置に対応するレイアウト画像７２上の場所を指定する。
【００５６】
所在時点特定部１８は、タイミングチャート７１を生成するための距離の分析対象とされた２人の看護師について、場所指定部１７により指定された場所に一の看護師が所在していた時点と他の看護師が所在していた時点とを、履歴情報取得部１１により取得された行動履歴情報に基づいて特定する。上述したように、履歴情報取得部１１が履歴情報記憶部１０１から取得する行動履歴情報は、病院内における複数の看護師がいつ、どの場所（ＡＰ２０からの相対位置）にいたのかをそれぞれ表した情報である。従って、場所指定部１７により任意の場所（ポインタ９３が属する病室や廊下等の空間）が指定されれば、その場所に所在していた看護師の所在時点を行動履歴情報およびレイアウト情報から特定することが可能である。
【００５７】
なお、ある１人の看護師が１つの場所に所在していた時点は、瞬間的な時点ではなく、その場所に滞在していた時間の長さに応じた時間帯として特定される。また、その時間帯は、１つの場所に対して１つのみとは限らず、異なる複数の時間帯が特定されることもある。
【００５８】
表示制御部１４”は、場所指定部１７により任意の場所が指定された場合、当該指定された場所について所在時点特定部１８により特定された２人の看護師の所在時点をタイミングチャート７１上に表示させる。図９の例では、第１〜第３の表示態様の何れとも異なる第４の表示態様によるブロック９４によって、２人の看護師Ａ，Ｂの所在時点（時間帯）が表示されている。
【００５９】
ここでは、場所指定部１７により病室３０３号室が指定され、当該病室３０３号室に２人の看護師Ａ，Ｂが所在していた時間帯がブロック９４により表示されている。具体的には、看護師Ａは３つの異なる時間帯に病室３０３号室に所在し、看護師Ｂは２つの異なる時間帯に病室３０３号室に所在していたことが示されている。また、看護師Ａ，Ｂがそれぞれ片方のみで所在していた時間帯と、両者が同時に所在していた時間帯とがあることも示されている。
【００６０】
このように、第３の実施形態によれば、チームを組んでいる看護師Ａ，Ｂが病院の全体においてどの程度行動を共にしているのかをタイミングチャート７１によって容易に把握することができることに加え、病院内の個々の場所において看護師Ａ，Ｂが実際に所在していた時間帯をブロック９４によって容易に把握することもできる。これにより、ユーザは、指定した場所において、チームを組んでいる２人の看護師Ａ，Ｂがどの程度行動を共にしているのかを容易に把握することができる。
【００６１】
なお、上記第１〜第３の実施形態では、２人の看護師間の距離に関して１つの閾値を設定し、その閾値より距離が小さいか否かによって、第１の表示態様または第２の表示態様の何れかで描画したタイミングチャートを生成する例について説明したが、本発明はこれに限定されない。例えば、距離の閾値を２つ以上設定し、３つ以上の表示態様の何れかで描画したタイミングチャートを生成するようにしてもよい。
【００６２】
また、上記第１〜第３の実施形態では、ガントチャート形式の棒グラフによって、複数の時点ごとの距離の大きさを時間軸に表したタイミングチャートを生成する例について説明したが、本発明はこれに限定されない。例えば、２人の看護師間の距離が閾値より小さい時間帯をハイレベル、閾値以上の時間帯をロウレベルで表した矩形パルス形式のタイミングチャートを生成するようにしてもよい。または、閾値とは関係なく、距離の大きさをそのまま表した折れ線グラフ形式のタイミングチャートを生成するようにしてもよい。
【００６３】
また、上記第１〜第３の実施形態では、２人の看護師のタイミングチャートを並べて表示する例について説明したが、本発明はこれに限定されない。例えば、少なくとも一方の看護師の所在場所が検出されない時点について、２人の看護師のタイミングチャートを両方とも第３の表示態様で表示させる場合は、２つのタイミングチャートは同一の内容となる。この場合、１つのタイミングチャートのみを表示するようにしてもよい。
【００６４】
また、上記第１〜第３の実施形態では、３人以上の看護師でチームを組んでいる場合に、その中から任意の２人を指定してタイミングチャートを生成する例について説明したが、本発明はこれに限定されない。例えば、３人以上の看護師の中から任意の１人を指定し、指定した看護師と残りの看護師との間で複数組のペアを設定し、それぞれのペア毎に距離を分析して複数組のタイミングチャートを生成するようにしてもよい。例えば、３人の看護師Ａ，Ｂ，Ｃがチームを組んでいる場合において、その中から看護師Ａが指定されたとき、看護師Ａと看護師Ｂとの距離を分析してタイミングチャートを生成するとともに、看護師Ａと看護師Ｃとの距離を分析してタイミングチャートを生成するようにしてもよい。
【００６５】
なお、ここでは３人以上の看護師の中から任意の１人を指定するものとして説明したが、これに限定されるものでもない。すなわち、３人以上の看護師について総当たりで複数組のペアを設定し、それぞれのペア毎に距離を分析して複数組のタイミングチャートを生成するようにしてもよい。
【００６６】
また、上記第２の実施形態および第３の実施形態を分けて説明したが、これらを組み合わせて適用することも可能である。すなわち、第２の実施形態による機能および第３の実施形態による機能の両方を行動状況可視化装置が備えるようにしてもよい。
【００６７】
その他、上記第１〜第３の実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【符号の説明】
【００６８】
１１  履歴情報取得部
１２  距離分析部
１３  チャート生成部
１４，１４’，１４”  表示制御部
１５  時点指定部
１６  所在場所特定部
１７  場所指定部
１８  所在時点特定部
１００，１００’，１００”  行動状況可視化装置
【図１】
2020098379.tif 000003
【図２】
2020098379.tif 000004
【図３】
2020098379.tif 000005
【図４】
2020098379.tif 000006
【図５】
2020098379.tif 000007
【図６】
2020098379.tif 000008
【図７】
2020098379.tif 000009
【図８】
2020098379.tif 000010
【図９】
2020098379.tif 000011